【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
バッファがユーザ機器(UE)への送信のためのデータを含んでいることを識別するステップと、
前記識別するステップに少なくとも部分的に基づいて、リソースの許可が後で前記UEに送信されることになるという指示を前記UEに送信するステップであって、前記指示は前記UEが起動してリソースの前記許可をリッスンするための持続時間を含み、前記持続時間がリソースの前記許可の持続時間と非アクティビティ期間とを含む、ステップと、
前記UEが不連続受信状態にある間、前記指示の前記送信に続いて、リソースの前記許可を前記UEに送信するステップであって、リソースの前記許可が後で前記UEに送信されることになるという前記指示と、リソースの前記許可とが、同じ不連続受信サイクル中に送信される、ステップと
を含む、方法。
【請求項２】
前記基地局から送信を受信するために前記UEが使用すべき不連続受信モードを決定するステップと、
前記決定された不連続受信モードを示すモードインジケータを前記UEに送信するステップと
をさらに含む、請求項1に記載の方法。
【請求項３】
複数のUEの中からUEのセットを識別するステップと、
リソースの1つまたは複数の許可がUEの前記識別されたセットのために送信されることになるというグループ指示を送信するステップと
をさらに含み、
UEの前記セットを識別するステップが、UEの前記セットの各々に関連するそれぞれのバッファに関連する送信のためのデータの量に少なくとも部分的に基づく、請求項1に記載の方法。
【請求項４】
不連続受信サイクルの開始サブフレーム中でリソースの前記許可が前記UEに送信されることになるという前記指示を送信するステップ
をさらに含む、請求項1に記載の方法。
【請求項５】
ユーザ機器(UE)におけるワイヤレス通信のための方法であって、
前記UEが不連続受信状態にある間、基地局から、リソースの許可が前記基地局によって前記UEに送信されることになるという指示を受信するステップであって、前記指示は前記UEが起動してリソースの前記許可をリッスンするための持続時間を含み、前記持続時間がリソースの前記許可の持続時間と非アクティビティ期間とを含む、ステップと、
リソースの前記許可が送信されることになるという前記指示を受信するステップに少なくとも部分的に基づいて、リソースの前記許可を監視するステップと、
前記基地局からリソースの前記許可を受信するステップであって、リソースの前記許可が後で前記UEに送信されることになるという前記指示と、リソースの前記許可とが、同じ不連続受信サイクル中に送信される、ステップと
を含む、方法。
【請求項６】
リソースの前記許可が送信されることになるという前記受信された指示、またはダウンリンクもしくはアップリンク上で送信されるべきデータの存在を識別するステップ、またはそれらの組合せに少なくとも部分的に基づいて、前記不連続受信状態のオン状態に入るステップと、
前記オン状態中にリソースの示された許可を監視するステップと
をさらに含む、請求項5に記載の方法。
【請求項７】
リソースの前記許可を受信するステップと、
リソースの前記許可を受信するステップに少なくとも部分的に基づいて不連続受信非アクティビティタイマをリセットするステップと
をさらに含む、請求項6に記載の方法。
【請求項８】
リソースの前記許可が送信されることになるという前記指示を受信するステップ、またはダウンリンクもしくはアップリンク上で送信されるべきデータの前記存在を識別するステップ、またはそれらの組合せに少なくとも部分的に基づいて不連続受信サイクルタイマをリセットするステップ
をさらに含む、請求項6に記載の方法。
【請求項９】
前記不連続受信状態に関連する第1の不連続受信モードと、第2の不連続受信モードとの間で切り替えるステップ
をさらに含む、請求項5に記載の方法。
【請求項１０】
前記UEについてのトラフィックパターンを識別するステップと、
前記識別されたトラフィックパターンに少なくとも部分的に基づいて、前記第1の不連続受信モードと前記第2の不連続受信モードとの間で切り替えるステップと
をさらに含む、請求項9に記載の方法。
【請求項１１】
前記基地局が前記第1の不連続受信モードに従って先行する不連続受信サイクル中にデータを前記UEに送信したと決定するステップと、
前記決定に少なくとも部分的に基づいて、現在の不連続受信サイクルにおいて前記第1の不連続受信モードで動作するステップと
をさらに含む、請求項9に記載の方法。
【請求項１２】
基地局におけるワイヤレス通信のための方法であって、
バッファがユーザ機器(UE)への送信のためのデータを含んでいることを識別するステップと、
前記識別するステップに少なくとも部分的に基づいて、リソースの許可が後で前記UEに送信されることになるという指示を前記UEに送信するステップであって、前記指示は前記UEが起動してリソースの前記許可をリッスンするための持続時間を含み、前記持続時間がリソースの前記許可の持続時間と非アクティビティ期間とを含む、ステップと、
前記送信された指示によって示されたリソースの前記許可が前記UEによって受信されなかったことを識別するステップに少なくとも部分的に基づいて、不連続受信サイクルタイマをリセットするステップであって、リソースの前記許可が後で前記UEに送信されることになるという前記指示と、リソースの前記許可とが、同じ不連続受信サイクル中に送信される、ステップと
を含む、方法。
【請求項１３】
前記不連続受信サイクルタイマをリセットするステップは、
前記送信された指示によって示されたリソースの前記許可が前記UEによって受信されなかったことを識別するステップに少なくとも部分的に基づいて、短期不連続受信サイクルを開始するステップ、または
前記送信された指示によって示されたリソースの前記許可が前記UEによって受信されなかったことを識別するステップに少なくとも部分的に基づいて、長期不連続受信サイクルを開始するステップ
をさらに含む、請求項12に記載の方法。
【請求項１４】
ユーザ機器(UE)におけるワイヤレス通信のための方法であって、
前記UEが不連続受信状態にある間、基地局から、リソースの許可が前記基地局によって前記UEに送信されることになるという指示を受信するステップであって、前記指示は前記UEが起動してリソースの前記許可をリッスンするための持続時間を含み、前記持続時間がリソースの前記許可の持続時間と非アクティビティ期間とを含む、ステップと、
リソースの前記許可が送信されることになるという前記指示を受信するステップに少なくとも部分的に基づいて、リソースの前記許可を監視するステップであって、リソースの前記許可が後で前記UEに送信されることになるという前記指示と、リソースの前記許可とが、同じ不連続受信サイクル中に送信される、ステップと、
前記受信された指示によって示されたリソースの前記許可が前記UEによって受信されなかったことを識別するステップと、
前記識別に少なくとも部分的に基づいて不連続受信サイクルタイマをリセットするステップと
を含む、方法。
【請求項１５】
前記不連続受信サイクルタイマをリセットするステップが、
前記識別に少なくとも部分的に基づいて短期不連続受信サイクルを開始するステップと、
前記識別に少なくとも部分的に基づいて長期不連続受信サイクルを開始するステップと
をさらに含む、請求項14に記載の方法。